(57)【要約】      （修正有）【課題】脇及び脇の周辺の体臭を消臭することができる消臭機能服を提供する。【解決手段】着用者の胴体を覆いながら、着用者の上腕の付け根部及び付け根部より内側にある胸部及び背部の一部を包まずに露出させながら胸部の一部に臨む袖連接口が開けられている服本体と、袖連接口に接続される一端と、一端の反対側にある他端とがそれぞれ開口して筒状に形成された上、一端の開口周縁に沿って延伸する接続エリア２７と、少なくとも着用者の脇及び脇の周辺に対応する下側の一部分が消臭機能を有する織物で構成されている消臭部２４とを有している袖２０と、消臭部２４を引き上げて着用者の脇及び脇の周辺に張り付かせるように、袖２０に設置されている引き上げ手段３と、を有するように構成されている。【選択図】図６
0003200580.tif 000002
【実用新案登録請求の範囲】
【請求項１】
着用者の胴体を覆いながら、該着用者の上腕の付け根部及び前記付け根部より内側にある胸部及び背部の一部を包まずに露出させながら該胸部の一部に臨む袖連接口が開けられている服本体と、
前記袖連接口に接続される一端と、前記一端の反対側にある他端とがそれぞれ開口して筒状に形成された上、前記一端の開口周縁に沿って延伸する接続エリアと、少なくとも着用者の脇及び脇の周辺に対応する下側の一部分が消臭機能を有する織物で構成されている消臭部とを有していると共に、着用者の脇及び脇の周辺を覆う袖下半部及び前記袖下半部以外の部分であって着用者の肩及び肩の周辺を覆う袖上半部を有する袖と、
前記消臭部を引き上げて着用者の脇及び脇の周辺に張り付かせるように、前記接続エリアに設置されていて弾性材料により作成された第１の弾性紐を有している引き上げ手段と、を備えるように構成されていることを特徴とする消臭機能服。
【請求項２】
前記引き上げ手段は、弾性材料により作成された第２の弾性紐を更に有しており、
前記袖は、着用者の脇及び脇の周辺を覆う袖下半部と、前記袖下半部以外の部分であって着用者の肩及び肩の周辺を覆う袖上半部と、を有し、前記袖下半部において前記接続エリアから前記他端の開口まで延伸し且つ着用者の脇側に対応するカーブ接続部が縫い合わされて筒状に形成されたものであり、
前記第２の弾性紐は、一端が前記袖下半部の着用者の正面側に取り付けられ、前記一端の反対端である他端が着用者の脇側にある前記カーブ接続部を経由して前記袖下半部の着用者の背面側に取り付けられていることを特徴とする請求項１に記載の消臭機能服。
【請求項３】
前記引き上げ手段は、前記接続エリアの着用者の正面側及び背面側にそれぞれ設けられている複数の第１の取り付け部と、前記正面側及び前記背面側にある前記第１の取り付け部の間で、前記接続エリアに沿って並ぶように配置されている複数の案内リングとを更に有していることを特徴とする請求項１または請求項２に記載の消臭機能服。
【請求項４】
前記第１の弾性紐には、前記接続エリアに沿って前記複数の案内リングに順番に通されていると共に、両端にそれぞれ前記正面側及び前記背面側にあるいずれかの前記第１の取り付け部に取り付けられる第２の取り付け部が設置されていることを特徴とする請求項３に記載の消臭機能服。
【請求項５】
前記第１の取り付け部及び前記第２の取り付け部は、それぞれオス部とメス部として互いに結合可能なスナップボタンであることを特徴とする請求項４に記載の消臭機能服。
【請求項６】
前記複数の第１の取り付け部は、環状に構成され、前記接続エリアに固定されている取り付けリングであり、
前記第２の取り付け部は、前記第１の弾性紐の端部に設置されている第１のフック部と、前記第１のフック部に枢接されている第２のフック部とを有すると共に、前記第１のフック部と前記第２のフック部が前記取り付けリングに挿しこまれることによって前記第１の取り付け部に取り付けられるように構成されていることを特徴とする請求項４に記載の消臭機能服。
【請求項７】
前記第１の弾性紐は、一端が前記接続エリアの着用者の正面側に取り付けられ、他端が前記接続エリアの着用者の背面側に取り付けられ、且つ取り外し可能に設置されていることを特徴とする請求項１〜請求項６いずれか一項に記載の消臭機能服。
【請求項８】
第１の弾性紐は、ゴム紐であることを特徴とする請求項１〜請求項７いずれか一項に記載の消臭機能服。
【請求項９】
着用者の胴体を覆いながら、該着用者の腕、肩の一部、脇及び脇の周辺を露出させる袖連接口が開けられている服本体と、
前記袖連接口に接続される一端と、前記一端の反対側にある他端とがそれぞれ開口して筒状に形成された上、前記一端の開口周縁に沿って延伸する接続エリアと、少なくとも着用者の脇及び脇の周辺に対応する下側の一部分が消臭機能を有する織物で構成されている消臭部とを有していると共に、着用者の脇及び脇の周辺を覆う袖下半部及び前記袖下半部以外の部分であって着用者の肩及び肩の周辺を覆う袖上半部を有する袖と、
前記消臭部を引き上げて着用者の脇及び脇の周辺に張り付かせるように、前記袖に設置されている引き上げ手段と、を有するように構成され、
前記袖は、前記袖下半部において前記接続エリアから前記他端の開口まで延伸し且つ着用者の脇側に対応するカーブ接続部において縫い合わされて筒状に形成されたものであり、
前記引き上げ手段は、弾性材料により作成され、前記カーブ接続部より正面側及び背面側でそれぞれ脇側から前記接続エリア側へ、略上下延伸するように前記袖下半部に取り付けられていることを特徴とする消臭機能服。
【請求項１０】
前記引き上げ手段として、弾性材料により紐状に形成された２本の弾性紐が用いられていることを特徴とする請求項９に記載の消臭機能服。
【請求項１１】
前記引き上げ手段として、弾性材料により略板状に形成された２本の伸縮シートが用いられていることを特徴とする請求項９に記載の消臭機能服。
【請求項１２】
着用者の胴体を覆いながら、該着用者の腕、肩の一部、脇及び脇の周辺を露出させる袖連接口が開けられている服本体と、
前記袖連接口に接続される一端と、前記一端の反対側にある他端とがそれぞれ開口して筒状に形成された上、前記一端の開口周縁に沿って延伸する接続エリアと、少なくとも着用者の脇及び脇の周辺に対応する下側の一部分が消臭機能を有する織物で構成されている消臭部とを有していると共に、着用者の脇及び脇の周辺を覆う袖下半部及び前記袖下半部以外の部分であって着用者の肩及び肩の周辺を覆う袖上半部を有する袖と、
前記消臭部を引き上げて着用者の脇及び脇の周辺に張り付かせるように、前記袖に設置されている引き上げ手段と、を有するように構成され、
前記引き上げ手段は、第１の調整ベルトセットと第２の調整ベルトセットとを有し、
前記第１の調整ベルトセットは、前記接続エリアに沿って上下に延伸するように着用者の正面側に取り付けられた第１の固定ベルトと、固定端とする一端が前記第１の固定ベルトより上方の位置で前記接続エリアに固定されており、自由端とする他端が前記第１の固定ベルトの任意箇所と結合可能な第１の調整ベルトとからなり、
前記第２の調整ベルトセットは、前記接続エリアに沿って上下に延伸するように着用者の背面側に取り付けられた第２の固定ベルトと、固定端とする一端が前記第２の固定ベルトより上方の位置で前記接続エリアに固定されており、自由端としての他端が前記第２の固定ベルトの任意箇所と結合可能な第２の調整ベルトとからなることを特徴とする消臭機能服。
【請求項１３】
前記第１の調整ベルトセットは、前記第１の固定ベルトにループユニットが取付けられ、前記第１の調整ベルトにフックユニットが取り付けられている面ファスナーであり、
前記第２の調整ベルトセットは、前記第２の固定ベルトにループユニットが取付けられ、前記第２の調整ベルトにフックユニットが取り付けられている面ファスナーであることを特徴とする請求項１２に記載の消臭機能服。
【考案の詳細な説明】
【技術分野】
【０００１】
本考案は、消臭機能服に関する。
【背景技術】
【０００２】
人間の体臭は、汗や皮膚の分泌物などが皮膚にある細菌により分解され、臭いを発する物質が生成されることにより、体から発せられる臭いである。その体臭は、他人に不快感を与えやすく、特に脇の汗や分泌物から発する体臭は特に顕著であり、更に、その汗と分泌物は、図１に示されるように、服９を汚して、汚れ９１を生成するので、その体臭を消すための商品が多く開発されている。
【０００３】
例えば、細菌を殺す殺菌剤を配合して直接に肌に塗布する制汗剤や、脇に直接貼る汗とりパットや、図２に示されるように、消臭機能を有する織物により構成されて服に縫い付けるシート９２や、消臭機能を有する織物により構成された服などが挙げられる。
【０００４】
しかし、制汗剤は、値段が安く、入手やすいという長所があるが、一日中何回も塗り直すことが必要があり、アレルギーないし癌を起こすリスクがあるという欠点もある。
【０００５】
汗とりパットは、使い捨てなので衛生面で良く、体に対する影響が少なく、交換しやすいという長所があるが、毎日交換するとお金がかかり、汗を吸収するとぬるくなって不快を感るだけでなく、脇から脱落する可能性があり、更に使用していることが他人に気付かれやすいという欠点もある。
【０００６】
服に縫い付ける消臭シート９２は、服と共に洗濯でき、使い捨てのパットより安上がりであるという長所があるが、縫い付けた痕跡が他人に気付かれやすいという欠点もある。
【０００７】
消臭機能を有する服は、他人に気付かれにくいという長所があるが、特定の部位に特化されてなく、服全体が消臭機能を有する機能性織物でできているので値段が高いという欠点もある。
【考案の概要】
【考案が解決しようとする課題】
【０００８】
従って、本考案は、上記の欠点を解決できる消臭機能服の提供を目的とする。
【課題を解決するための手段】
【０００９】
上記目的を達成すべく、本考案は、着用者の胴体を覆いながら、該着用者の上腕の付け根部及び前記付け根部より内側にある胸部及び背部の一部を包まずに露出させながら該胸部の一部に臨む袖連接口が開けられている服本体と、前記袖連接口に接続される一端と、前記一端の反対側にある他端とがそれぞれ開口して筒状に形成された上、前記一端の開口周縁に沿って延伸する接続エリアと、少なくとも着用者の脇及び脇の周辺に対応する下側の一部分が消臭機能を有する織物で構成されている消臭部とを有していると共に、着用者の脇及び脇の周辺を覆う袖下半部及び前記袖下半部以外の部分であって着用者の肩及び肩の周辺を覆う袖上半部を有する袖と、前記消臭部を引き上げて着用者の脇及び脇の周辺に張り付かせるように、前記接続エリアに設置されていて弾性材料により作成された第１の弾性紐を有している引き上げ手段と、を備えるように構成されていることを特徴とする消臭機能服を提供する。
【００１０】
また、本考案は、着用者の胴体を覆いながら、該着用者の腕、肩の一部、脇及び脇の周辺を露出させる袖連接口が開けられている服本体と、前記袖連接口に接続される一端と、前記一端の反対側にある他端とがそれぞれ開口して筒状に形成された上、前記一端の開口周縁に沿って延伸する接続エリアと、少なくとも着用者の脇及び脇の周辺に対応する下側の一部分が消臭機能を有する織物で構成されている消臭部とを有していると共に、着用者の脇及び脇の周辺を覆う袖下半部及び前記袖下半部以外の部分であって着用者の肩及び肩の周辺を覆う袖上半部を有する袖と、前記消臭部を引き上げて着用者の脇及び脇の周辺に張り付かせるように、前記袖に設置されている引き上げ手段と、を有するように構成され、前記袖は、前記袖下半部において前記接続エリアから前記他端の開口まで延伸し且つ着用者の脇側に対応するカーブ接続部において縫い合わされて筒状に形成されたものであり、前記引き上げ手段は、弾性材料により作成され、前記カーブ接続部より正面側及び背面側でそれぞれ脇側から前記接続エリア側へ、略上下延伸するように前記袖下半部に取り付けられていることを特徴とする消臭機能服を提供する。
【００１１】
また、本考案は、着用者の胴体を覆いながら、該着用者の腕、肩の一部、脇及び脇の周辺を露出させる袖連接口が開けられている服本体と、前記袖連接口に接続される一端と、前記一端の反対側にある他端とがそれぞれ開口して筒状に形成された上、前記一端の開口周縁に沿って延伸する接続エリアと、少なくとも着用者の脇及び脇の周辺に対応する下側の一部分が消臭機能を有する織物で構成されている消臭部とを有していると共に、着用者の脇及び脇の周辺を覆う袖下半部及び前記袖下半部以外の部分であって着用者の肩及び肩の周辺を覆う袖上半部を有する袖と、前記消臭部を引き上げて着用者の脇及び脇の周辺に張り付かせるように、前記袖に設置されている引き上げ手段と、を有するように構成され、前記引き上げ手段は、第１の調整ベルトセットと第２の調整ベルトセットとを有し、前記第１の調整ベルトセットは、前記接続エリアに沿って上下に延伸するように着用者の正面側に取り付けられた第１の固定ベルトと、固定端とする一端が前記第１の固定ベルトより上方の位置で前記接続エリアに固定されており、自由端とする他端が前記第１の固定ベルトの任意箇所と結合可能な第１の調整ベルトとからなり、前記第２の調整ベルトセットは、前記接続エリアに沿って上下に延伸するように着用者の背面側に取り付けられた第２の固定ベルトと、固定端とする一端が前記第２の固定ベルトより上方の位置で前記接続エリアに固定されており、自由端としての他端が前記第２の固定ベルトの任意箇所と結合可能な第２の調整ベルトとからなることを特徴とする消臭機能服を提供する。
【考案の効果】
【００１２】
本考案の消臭機能服は、袖に、脇及び脇の周辺に対応する消臭機能を有する織物で構成されている消臭部と、前記消臭部を引き上げて着用者の脇及び脇の周辺に張り付かせるように、前記袖に設置されている引き上げ手段とを有するように構成されているので、消臭機能を有する織物の使用を最小限に抑えながらも、脇及び脇の周辺の体臭を消臭することができ、材料コストも抑えられる。
【図面の簡単な説明】
【００１３】
【図１】一般の服に汚れが付いている状態を示す正面図である。
【図２】一般の服に消臭機能を有する織物によるシートを縫いつけることを示す正面図である。
【図３】本考案の消臭機能服の第１の実施形態の正面分解図である。
【図４】本考案の消臭機能服の第２の実施形態の正面分解図である。
【図５】本考案の消臭機能服の第３の実施形態の正面図である。
【図６】本考案の消臭機能服の第４の実施形態の正面図である。
【図７】上記第４の実施形態の背面図である。
【図８】上記第４の実施形態において第１の弾性紐が接続エリアに取り付けられていない状態を示す正面図である。
【図９】本考案の消臭機能服の第５の実施形態の正面図である。
【図１０】本考案の消臭機能服の第６の実施形態の正面図である。
【図１１】上記第６の実施形態の背面図である。
【図１２】本考案の消臭機能服の第７の実施形態の正面図である。
【図１３】上記第７の実施形態の背面図である。
【図１４】本考案の消臭機能服の第８の実施形態の正面図である。
【図１５】上記第８の実施形態の背面図である。
【図１６】本考案の消臭機能服の第９の実施形態の正面図である。
【図１７】上記第９の実施形態の背面図である。
【図１８】本考案の消臭機能服の第１０の実施形態の正面図である。
【図１９】上記第１０の実施形態の背面図である。
【図２０】本考案の消臭機能服の第１１の実施形態の正面図である。
【図２１】上記第１１の実施形態の背面図である。
【図２２】上記第１１の実施形態において面ファスナーが結合されている状態を示す正面図である。
【考案を実施するための形態】
【００１４】
以下では各図面を参照しながら、本考案の各実施形態について詳しく説明する。
【００１５】
図３は本考案の消臭機能服の第１の実施形態の正面分解図であり、図４は本考案の消臭機能服の第２の実施形態の正面分解図であり、図５は本考案の消臭機能服の第３の実施形態の正面図である。
【００１６】
本考案の第１の実施形態の消臭機能服は、図３に示されるように、服本体１０と、袖２０と、を有するように構成されている。
【００１７】
服本体１０は、着用者の胴体を覆う身頃部分であり、該着用者の上腕の付け根部１３及び付け根部１３より内側にある胸部及び背部の一部を包まずに露出させながら該胸部の一部に臨む袖連接口１５が開けられている。
【００１８】
袖２０は、着用者の脇１４及び脇１４の周辺を覆う袖下半部２０１と、袖下半部２０１以外の部分で着用者の肩及び肩の周辺を覆う袖上半部２０２と、袖連接口１５に接続される一端と、一端の反対側にある他端とがそれぞれ開口して筒状に形成された上、前記一端の開口周縁に沿って延伸する接続エリア２７と、少なくとも着用者の脇１４及び脇１４の周辺に対応する下側の一部分が消臭機能を有する織物で構成されている消臭部２４とを有している。この実施形態においては、袖２０は、所定の方向Ｙに沿って、上腕を包む第１の袖部２１と着用者の肩及び胸部及び背部の一部を包む第２の袖部２３と前記他端に開けられている開口２５を更に有し、消臭部２４は、第１の袖部２１と接する第１の消臭エリア２１２と第２の袖部２３と接する第２の消臭エリア２３２とを有するように、着用者の脇１４及び脇１４の周辺に対応する下側の一部分に形成されている。
【００１９】
この構成によれば、袖２０において、着用者の脇１４及び脇１４の周辺に対応する下側の一部分に消臭部２４が形成されていることにより、消臭機能を有する織物の使用を最小限に抑えながらも、脇１４及び脇１４の周辺の体臭を消臭することができ、材料コストも抑えられる。
【００２０】
本考案の第２の実施形態は、図４に示されるように、消臭部２４が袖２０の全体に形成されている。それ以外、第１の実施形態と類似する構成を有する。
【００２１】
本考案の第３の実施形態は、図５に示されるように、２つの袖連接口１５がそれぞれ、着用者の胸へ更に延伸するように凹んでいる凹部１５１を更に有するように構成され、袖２０は、凹部１５１を覆う延伸部２３３を更に有し、全体が消臭部２４として形成されている。それ以外、第１の実施形態と類似する構成を有する。
【００２２】
この第２と第３の実施形態の構成によれば、脇１４及び脇１４の周辺の体臭を対象として消臭することができる。
【００２３】
更に、本考案の消臭機能服は、消臭効果を向上するために、消臭部２４を引き上げて着用者の脇１４及び脇１４の周辺に張り付かせるように、袖２０に設置される引き上げ手段３を更に有するように構成されることができる。以下、引き上げ手段３を更に有した実施形態を説明する。
【００２４】
図６は本考案の消臭機能服の第４の実施形態の正面図であり、図７はその背面図であり、図８は第４の実施形態において第１の弾性紐３１が接続エリア２７に取り付けてられいない状態を示す正面図である。
【００２５】
本考案の第４の実施形態は、図６と図７に示されるように、第１の実施形態において更に、消臭部２４を引き上げて着用者の脇１４及び脇１４の周辺に張り付かせるように、接続エリア２７に設置されている引き上げ手段３を更に有するように構成されている。
【００２６】
袖２０は、着用者の脇１４に対応する脇部２００を有し、袖下半部２０１において接続エリア２７から前記他端の開口２５まで延伸し且つ着用者の脇１４側に対応するカーブ接続部２８が縫い合わされて筒状に形成されたものである。
【００２７】
引き上げ手段３は、弾性材料により作成された第１の弾性紐３１と、接続エリア２７の着用者の胸及び腹に対応する正面側１０５及び背中に対応する背面側１０６にそれぞれ固定されている第１の取り付け部３０と、正面側１０５及び背面側１０６にそれぞれある第１の取り付け部３０の間で、接続エリア２７の正面側１０５及び背面側１０６それぞれに沿って並ぶように肩側の近くに配置されている４つの案内リング３２と、により構成され、着用者に面する裏側１００に設置されている。
【００２８】
第１の弾性紐３１は、接続エリア２７に沿って着用者の肩を経由するように４つの案内リング３２に順番に通されていると共に、その一端である第１の連接端部３１１に接続エリア２７の着用者の正面側１０５にある第１の取り付け部３０に取り外し可能に取り付けられる第２の取り付け部３３が設けられ、その一端の反対端である第２の連接端部３１２にも接続エリア２７の着用者の背面側１０６にある第１の取り付け部３０に取り外し可能に取り付けられる第２の取り付け部３３が設けられている。
【００２９】
この実施形態において、図７と図８に示されるように、第１の取り付け部３０は、環状に構成され、接続エリア２７に固定されている取り付けリング３４である。
【００３０】
第２の取り付け部３３は、第１の弾性紐３１の端部に設けられている第１のフック部３３１と、第１のフック部３３１に枢接されている第２のフック部３３２とを有すると共に、第１のフック部３３１と第２のフック部３３２を取り付けリング３４に挿しこむことによって第１の取り付け部３０に取り付けられるように構成されている。
【００３１】
案内リング３２は、接続エリア２７の着用者の正面側１０５及び背面側１０６にそれぞれ２つずつ配置されている。
【００３２】
この構成によれば、引き上げ手段３によって、接続エリア２７の正面側１０５に設けられている第１の取り付け部３０の第１の引き上げ端部２７１及び接続エリア２７の背面側１０６に設けられている第１の取り付け部３０の第２の引き上げ端部２７２を引き上げて、袖２０の脇部２００にある消臭部２４を脇１４及び脇１４の周辺に張り付かせるように引き上げることができて、脇１４及び脇１４の周辺に対する消臭効果を向上できる。
【００３３】
なお、第１の取り付け部３３及び第２の取り付け部３４は、他の手段により互いに取り付けることもできる。例えば、第１の取り付け部３３及び第２の取り付け部３４は、それぞれオス部とメス部として互いに結合可能なスナップボタンとして構成することもできる。
【００３４】
図９は本考案の消臭機能服の第５の実施形態の正面図である。
【００３５】
本考案の第５の実施形態は、図９に示されるように、第１の取り付け部３０が接続エリア２７の正面側１０５に沿って並ぶように配置されている３つの取り付けリング３４を有し、３つの取り付けリング３４それぞれは、接続エリア２７に設けられている第１の引き上げ端部２７１と第３の引き上げ端部２７３と第４の引き上げ端部２７４を有している。それ以外、第４の実施形態と類似する構成を有する。
【００３６】
この構成によれば、第１の取り付け部３３を、複数のそれぞれ位置が異なる取り付けリング３４のいずれかに選択的に取り付けることにより、付勢力が調整され、引き上げの高さを調整できる。例えば、正面側１０５及び背面側１０６の第１の取り付け部３３を正面側１０５及び背面側１０６の脇１４に一番近い取り付けリング３４に取り付けると、第１の弾性紐３１がより伸ばされるので、他の取り付けリング３４に取り付けるより付勢されて、袖２０にある消臭部２４がより高く引き上げられる。
【００３７】
図１０は本考案の消臭機能服の第６の実施形態の正面図であり、図１１はその背面図である。
【００３８】
本考案の第６の実施形態は、図１０、図１１に示されるように、引き上げ手段３は、弾性材料により作成された第２の弾性紐３５を更に有している。第２の弾性紐３５は、脇１４側から接続エリア２７側へ、略上下延伸するように、一端である第１固定端部３５１が袖下半部２０１の着用者の正面側１０５に取り付けられ、第１固定端部３５１の反対端である第２固定端部３５２が着用者の脇１４側にあるカーブ接続部２８を経由して袖下半部２０１の着用者の背面側１０６に取り付けられている。それ以外、第４の実施形態と類似する構成を有する。
【００３９】
この構成によれば、第２の弾性紐３５を設けたことにより、袖２０にある消臭部２４を斜めに脇１４側へ引き上げることができるので、より精確に消臭部２４を脇１４及び脇１４の周辺に張り付かせるように引き上げることができ、脇１４及び脇１４の周辺に対する消臭効果を更に向上できる。
【００４０】
図１２は本考案の消臭機能服の第７の実施形態の正面図であり、図１３はその背面図である。
【００４１】
本考案の第７の実施形態は、図１２、図１３に示されるように、第１の実施形態が引き上げ手段３を更に有するように構成されている。
【００４２】
引き上げ手段３は、ゴム紐を用いて構成されている２つの第１の弾性紐３１である。２つの第１の弾性紐３１それぞれは接続エリア２７の着用者の正面側１０５及び着用者の背面側１０６に沿って設置されている。
【００４３】
第１の弾性紐３１は、それぞれが接続エリア２７に固定されている第１の連接端部３１１と第２の連接端部３１２とを有し、接続エリア２７に沿って上下に延伸するように取り付けられてその付勢力で消臭部２４を引き上げて着用者の脇１４及び脇１４の周辺に張り付かせることができるように配置構成されている。
【００４４】
この構成によれば、第４の実施形態のように、袖２０にある消臭部２４を脇１４及び脇１４の周辺に張り付かせるように引き上げることができて、脇１４及び脇１４の周辺に対する消臭効果を向上できる。
【００４５】
図１４は本考案の消臭機能服の第８の実施形態の正面図であり、図１５はその背面図である。
【００４６】
本考案の第８の実施形態は、図１４、図１５に示されるように、第１の実施形態において更に、消臭部２４を引き上げて着用者の脇１４及び脇１４の周辺に張り付かせるように、袖２０に設置されている引き上げ手段３を更に有するように構成されている。
【００４７】
袖２０は、着用者の脇１４に対応する脇部２００を有し、袖下半部２０１において接続エリア２７から前記他端の開口２５まで延伸し且つ着用者の脇１４側に対応するカーブ接続部２８が縫い合わされて筒状に形成されたものである。
【００４８】
引き上げ手段３は、弾性材料により作成され、カーブ接続部２８より正面側１０５及び背面側１０６でそれぞれ脇１４側から接続エリア２７側へ、略上下延伸するように袖下半部２０１に取り付けられている２本の弾性紐３６により構成されている。
【００４９】
弾性紐３６は、袖下半部２０１に取り付けられている第３固定端部３６１と、第４固定端部３６２とを有している。
【００５０】
この構成によれば、袖２０にある消臭部２４を斜めに脇１４へ引き上げることができ、脇１４及び脇１４の周辺に対する消臭効果を向上できる。
【００５１】
図１６は本考案の消臭機能服の第９の実施形態の正面図であり、図１７はその背面図である。
【００５２】
本考案の第９の実施形態は、図１６、図１７に示される。
【００５３】
第１の実施形態が消臭部２４を引き上げて着用者の脇１４及び脇１４の周辺に張り付かせるように、袖２０に設置されている引き上げ手段３を更に有するように構成されている。
【００５４】
袖２０は、着用者の脇１４に対応する脇部２００を有し、袖下半部２０１において接続エリア２７から前記他端の開口２５まで延伸し且つ着用者の脇１４側に対応するカーブ接続部２８が縫い合わされて筒状に形成されたものである。
【００５５】
引き上げ手段３は、弾性材料により作成された第１の弾性紐３１と、接続エリア２７の着用者の胸及び腹に対応する正面側１０５及び背中に対応する背面側１０６にそれぞれ固定されている第１の取り付け部３０と、正面側１０５及び背面側１０６にそれぞれある第１の取り付け部３０の間で、接続エリア２７の正面側１０５及び背面側１０６それぞれに沿って並ぶように脇１４側の近くに配置されている４つの案内リング３２と、により構成され、着用者に面する裏側１００に設置されている。
【００５６】
第１の弾性紐３１は、接続エリア２７に沿って着用者の脇１４側にあるカーブ接続部２８を経由するように４つの案内リング３２に順番に通されていると共に、その一端である第１の連接端部３１１に接続エリア２７の着用者の正面側１０５にある第１の取り付け部３０に取り外し可能に取り付けられる第２の取り付け部３３が設けられ、その一端の反対端である第２の連接端部３１２にも接続エリア２７の着用者の背面側１０６にある第１の取り付け部３０に取り外し可能に取り付けられる第２の取り付け部３３が設けられている。
【００５７】
この実施形態において、図１６と図１７に示されるように、第１の取り付け部３０は、環状に構成され、接続エリア２７に固定されている取り付けリング３４である。
【００５８】
第２の取り付け部３３は、第１の弾性紐３１の端部に設けられている第１のフック部３３１と、第１のフック部３３１に枢接されている第２のフック部３３２とを有すると共に、第１のフック部３３１と第２のフック部３３２を取り付けリング３４に挿しこむことによって第１の取り付け部３０に取り付けられるように構成されている。
【００５９】
案内リング３２は、接続エリア２７の着用者の正面側１０５及び背面側１０６にそれぞれ２つずつ配置されている。
【００６０】
この構成によっても、上記第４の実施形態と同様に、袖２０にある消臭部２４を脇１４及び脇１４の周辺に張り付かせるように引き上げることができて、脇１４及び脇１４の周辺に対する消臭効果を向上できる。
【００６１】
図１８は本考案の消臭機能服の第１０の実施形態の正面図であり、図１９はその実施形態の背面図である。
【００６２】
本考案の第１０の実施形態は、図１８、図１９に示されるように、第１の実施形態において更に、消臭部２４を引き上げて着用者の脇１４及び脇１４の周辺に張り付かせるように、袖２０に設置されている引き上げ手段３を更に有するように構成されている。
【００６３】
袖２０は、着用者の脇１４に対応する脇部２００を有し、袖下半部２０１において接続エリア２７から前記他端の開口２５まで延伸し且つ着用者の脇１４側に対応するカーブ接続部２８が縫い合わされて筒状に形成されたものである。引き上げ手段３は、弾性材料により略板状に形成された２本の伸縮シート３７が用いられている。
【００６４】
２本の伸縮シート３７は、着用者の正面側１０５及び背面側１０６でそれぞれ脇１４側から接続エリア２７側へ、略上下延伸するように取り付けられている。
【００６５】
この構成によれば、袖２０にある消臭部２４を斜めに脇１４へ引き上げることができ、脇１４及び脇１４の周辺に対する消臭効果を向上できる。
【００６６】
図２０は本考案の消臭機能服の第１１の実施形態の正面図であり、図２１はその背面図であり、図２２は上記の消臭機能服の第１１の実施形態において面ファスナーが結合されている状態を示す正面図である。
【００６７】
本考案の第１１の実施形態は、図２０、図２１、図２２に示されるように、第１の実施形態が引き上げ手段３を更に有するように構成されている。
【００６８】
引き上げ手段３は、第１の調整ベルトセット３８と第２の調整ベルトセット３９とを有している。
【００６９】
第１の調整ベルトセット３８は、接続エリア２７に沿って上下に延伸するように着用者の正面側１０５に取り付けられた第１の固定ベルト３８２と、固定端３８１１とする一端が第１の固定ベルト３８２より上方の位置で接続エリア２７に固定されており、自由端３８１２とする他端が第１の固定ベルト３８２の任意箇所と結合可能な第１の調整ベルト３８１とからなる。
【００７０】
第２の調整ベルトセット３９は、接続エリア２７に沿って上下に延伸するように着用者の背面側１０６に取り付けられた第２の固定ベルト３９２と、固定端３９１１とする一端が第２の固定ベルト３９２より上方の位置で接続エリア２７に固定されており、自由端３９１２としての他端が第２の固定ベルト３９２の任意箇所と結合可能な第２の調整ベルト３９１とからなる。
【００７１】
この実施形態において、第１の調整ベルトセット３８は、第１の固定ベルト３８２にループユニットが取付けられ、第１の調整ベルトに３８１フックユニットが取り付けられている面ファスナーであり、第２の調整ベルトセット３９は、第２の固定ベルト３９２にループユニットが取付けられ、第２の調整ベルト３９１にフックユニットが取り付けられている面ファスナーである。
【００７２】
この構成によれば、袖２０にある消臭部２４を脇１４及び脇１４の周辺に張り付かせるように引き上げることができて、脇１４及び脇１４の周辺に対する消臭効果を向上できる。
【産業上の利用可能性】
【００７３】
本考案の消臭機能服は、一般の消臭機能服として着用でき、特に脇からの体臭を消臭することに好適である。
【符号の説明】
【００７４】
１０  服本体
１００  裏側
１０５  正面側
１０６  背面側
１３  付け根部
１４  脇
１５  袖連接口
１５１  凹部
２０  袖
２０１  袖下半部
２０２  袖上半部
２００  脇部
２１  第１の袖部
２３  第２の袖部
２４  消臭部
２５  開口
２１２  第１の消臭エリア
２３２  第２の消臭エリア
２３３  延伸部
２７  接続エリア
２７１  第１の引き上げ端部
２７２  第２の引き上げ端部
２７３  第３の引き上げ端部
２７４  第４の引き上げ端部
２８  カーブ接続部
３  引き上げ手段
３０  第１の取り付け部
３１  第１の弾性紐
３１１  第１の連接端部
３１２  第２の連接端部
３２  案内リング
３３  第２の取り付け部
３３１  第１のフック部
３３２  フック部
３４  取り付けリング
３５  第２の弾性紐
３５１  第１固定端部
３５２  第２固定端部
３１１  弾性ベルト
３６  弾性紐
３６１  第３固定端部
３６２  第４固定端部
３７  伸縮シート
３８  第１の調整ベルトセット
３９  第２の調整ベルトセット
３８１  第１の調整ベルト
３８２  第１の固定ベルト
３８１１  第１の固定端
３８１２  第１の自由端
３９１  第２の調整ベルト
３９２  第２の固定ベルト
３９１１  第２の固定端
３９１２  第２の自由端
Ｙ  所定の方向
【図１】
0003200580.tif 000003
【図２】
0003200580.tif 000004
【図３】
0003200580.tif 000005
【図４】
0003200580.tif 000006
【図５】
0003200580.tif 000007
【図６】
0003200580.tif 000008
【図７】
0003200580.tif 000009
【図８】
0003200580.tif 000010
【図９】
0003200580.tif 000011
【図１０】
0003200580.tif 000012
【図１１】
0003200580.tif 000013
【図１２】
0003200580.tif 000014
【図１３】
0003200580.tif 000015
【図１４】
0003200580.tif 000016
【図１５】
0003200580.tif 000017
【図１６】
0003200580.tif 000018
【図１７】
0003200580.tif 000019
【図１８】
0003200580.tif 000020
【図１９】
0003200580.tif 000021
【図２０】
0003200580.tif 000022
【図２１】
0003200580.tif 000023
【図２２】
0003200580.tif 000024